(57)【要約】【課題】構造設計上の取り扱いが容易で、耐力および靭性に富み、しかも柱梁架構内に耐震要素として簡単に設置することができる鉄筋コンクリート造列柱壁を提供する。【解決手段】列柱壁１は、柱２，２と梁３，３とからなる柱梁架構Ａ内に耐震要素として設置する。列柱壁１として鉄筋コンクリート構造の壁体（パネル）に、一方向に連続する複数のスリットを所定間隔おきに入れて一方向に連続した複数の柱状部１ａを形成したパネルを取り付ける。【選択図】　　　　　　　　図１
2004036087.tif 000002
【特許請求の範囲】
【請求項１】
柱梁架構内に耐震要素として設置される鉄筋コンクリート造列柱壁であって、鉄筋コンクリート壁体にスリットを施して柱状部を形成することにより、その降伏水平変形を前記柱梁架構の変形性状に合わせて制御できるように形成されてなることを特徴とする鉄筋コンクリート造列柱壁。
【請求項２】
柱梁架構内に耐震要素として設置される鉄筋コンクリート造列柱壁であって、鉄筋コンクリート壁体にスリットを施して柱状部を形成し、該柱状部にプレストレスを導入してなることを特徴とする鉄筋コンクリート造列柱壁。
【請求項３】
柱状部を複数形成し、その最外部の柱状部にプレストレスを導入してなることを特徴とする請求項１または２記載の鉄筋コンクリート造列柱壁。
【請求項４】
スリットが施されない上下端部を梁状部とし、その梁状部と最外部の柱状部にプレストレスが導入されてなることを特徴とする請求項１、２または３記載の鉄筋コンクリート造列柱壁。
【発明の詳細な説明】
【０００１】
【発明の属する技術分野】
本願発明は、建築構造物の耐震性能を向上させる壁状の耐震要素に関し、特に建築構造物の変形性状に合わせて降伏水平変形を制御できるように形成されてなることを特徴とするものである。
【０００２】
【従来の技術】
これまで、建築構造物の柱梁架構に設置される壁形状の耐震要素としては、例えば当出願人が開発したスリット壁（特公昭４５−２４１０４号）や特開平５−３４０００８号に開示された柱を連ねた鉄筋コンクリート製ダンパなどが提案されている。
【０００３】
【解決しようとする課題】
しかし、これらの耐震要素はいずれも、鉄筋が降伏することで生じる履歴特性により地震時の振動エネルギーを吸収するダンパであり、できる限り小さな変形で降伏することが求められる部材である。そのため、建築基準法に準拠して設計する場合、許容応力度設計ができないため付加的な耐震要素としてのみ用いていたのが現状である。
【０００４】
このような状況で、降伏変形を建物の変形能力に合わせて制御できる耐震部材の実現は、構造設計上有効なものとなる。
【０００５】
本願発明は、以上の課題を解決するためになされもので、特に構造設計上の扱いが容易で、耐力、および靭性に富み、しかも柱梁架構内に耐震要素として簡単に設置することができる鉄筋コンクリート造列柱壁を提供することを目的とするものである。
【０００６】
【課題を解決するための手段】
請求項１記載の鉄筋コンクリート造列柱壁は、柱梁架構内に耐震要素として設置される鉄筋コンクリート造列柱壁において、鉄筋コンクリート壁体にスリットを施して柱状部を形成することにより、その降伏水平変形を前記柱梁架構の変形性状に合わせて制御できるように形成してなることを特徴とするものである。
【０００７】
請求項２記載の鉄筋コンクリート造列柱壁は、柱梁架構内に耐震要素として設置される鉄筋コンクリート造列柱壁であって、鉄筋コンクリート壁体にスリットを施して柱状部を形成し、該柱状部にプレストレスを導入してなることを特徴とするものである。
【０００８】
請求項１、２いずれの記載の発明においても、鉄筋コンクリート壁体として、例えばプレキャストコンクリート（ＰＣ）板を用いることができ、またスリットの間隔を調整することで柱状部の数と径を自由に設定することができる。
【０００９】
なお、壁体にスリットを形成する必要から、補強鉄筋は例えば図２（ｂ）に図示するように複数のブロックに分け、それぞれ、一方向に連続する複数の主筋とこの主筋の周囲に配筋されるフープ筋として矩形または円形のかご状に配筋することで、補強筋の配筋されていない各ブロック間にスリットを簡単に形成することができる。
【００１０】
請求項３記載の鉄筋コンクリート造列柱壁は、請求項１または２記載の鉄筋コンクリート造列柱壁において、柱状部を複数形成し、その最外部の柱状部にプレストレスを導入してなることを特徴とするものである。
【００１１】
この場合、プレストレスを導入するためのＰＣ鋼材は、例えば図４（ｂ）に図示するように、かご状に配筋された補強鉄筋の各ブロック内に挿通してよい。
【００１２】
請求項４記載の鉄筋コンクリート造列柱壁は、請求項１、２または３記載の鉄筋コンクリート造列柱壁において、スリットの施されない上下両端部を梁状部とし、その梁状部と最外部の柱状部にプレストレスをそれぞれ導入してなることを特徴とするものである。この場合、スリットの長さ、すなわちスリットの施されない部分の幅を調節することで、梁状部の梁成（高さ）を自由に設定することができる。
【００１３】
【発明の実施の形態】
例えば、図１に図示するように、本願発明に係る鉄筋コンクリート造列柱壁（以下、「列柱壁」という）１は、柱２，２と梁３，３とからなる柱梁架構Ａ内に耐震要素として設置されている。
【００１４】
図２（ａ），（ｂ）は列柱壁１の一例を示し、鉄筋コンクリート構造の壁体（パネル）に一方向に連続する複数のスリットを所定間隔おきに入れ、複数の連続した柱状部１ａが形成されている。
【００１５】
各柱状部１ａは、柱梁架構Ａ内にあって柱梁架構Ａに作用する水平力（例えば地震力）を受け、曲げ変形することによりせん断力を負担する。したがって、スリットの間隔と長さ、及び鉄筋量を設計することで、図３に示すように、建物の変形性能に応じた復元力特性を実現することができる。これにより、通常の各種ダンパと異なり、建築基準法に準拠した設計においてせん断力を負担させ、柱梁の簡略化が可能となる。
【００１６】
図４（ａ），（ｂ）は列柱壁１の他の例を示し、図示するように各柱状部１ａ内に挿通されたＰＣ鋼材４によって各柱状部１ａにプレストレスが導入されている。これにより、図５の軸力一曲げ関係からも明らかなように、軸力がない状態の曲げ耐力Ｍｏに対して、プレストレスにより軸力を導入することで軸力Ｎでの曲げ耐力Ｍｎが得られる。この曲げ耐力の増加は、負担せん断力、変形性能の向上をもたらすものである。
【００１７】
図６（ａ），（ｂ）は同じく列柱壁１の他の例を示し、図示するように最外部の柱状部１ａにのみＰＣ鋼材４によりプレストレスが導入されている。これにより、最外部の柱状部１ａ，１ａの曲げ耐力が、その内側の各柱状部１ａのそれより勝ることで、内側の柱状部１ａを拘束する効果が生じて靭性の著しい増加が期待できる。
【００１８】
図７（ａ），（ｂ）も同じく列柱壁１の他の例を示し、図示するようにスリットのない上下両端部をそれぞれ各柱状部１ａと一体をなす梁状部１ｂとし、この上下の梁状部１ｂ（ソリッド部分）にもＰＣ鋼材４を挿通することによりプレストレスがを導入されている。これにより、壁全体を拘束する効果が生じ、靱性のさらなる向上が期待できる。
【００１９】
このように形成された列柱壁１は、柱梁架構Ａが鉄筋コンクリート構造や鉄骨構造の場合をはじめ、各種構造形式に適用が可能であり、また現場打ち鉄筋コンクリート部材、プレキャスト鉄筋コンクリート部材などとして製作することが可能であり、さらに柱梁架構Ａへの取り付けも、鉄筋による定着接合や取付金物によるボルト接合などの方法によって簡単に取り付けることができる。
【００２０】
また、列柱壁１は、建物の規模に応じて一カ所の柱梁架構Ａ内に所定間隔おきに複数取り付けてもよい。
【００２１】
【発明の効果】
本願発明は以上説明したとおりであり、柱梁架構内に設置することで、建築基準法に準拠した設計を行いながら、低コストに耐震性能を向上させることができ、併せて大地震時にはエネルギー吸収部材としての役割を果たす靭性に富む耐震要素を実現する。
【００２２】
また、鉄筋による定着接合や取付金物によるボルト接合などによって柱梁架構内に簡単に取り付けることができ、施工性も非常によい。
【図面の簡単な説明】
【図１】架構形状の一例を示す正面図である。
【図２】鉄筋コンクリート列柱壁の一例を示し、（ａ）はその正面図、（ｂ）は横断面図である。
【図３】鉄筋コンクリート列柱壁の荷重一変形関係を示すグラフである。
【図４】鉄筋コンクリート列柱壁の一例を示し、（ａ）はその正面図、（ｂ）は横断面図である。
【図５】鉄筋コンクリート列柱壁の効果を表す列柱部の曲げ一軸力関係を示すグラフである。
【図６】鉄筋コンクリート列柱壁の一例を示し、（ａ）はその正面図、（ｂ）は横断面図である。
【図７】鉄筋コンクリート列柱壁の一例を示し、（ａ）はその正面図、（ｂ）は横断面図である。
【符号の説明】
１　列柱壁（鉄筋コンクリート造列柱壁）
２　柱
３　梁
４　ＰＣ鋼材
Ａ　柱梁架構
【図１】
2004036087.tif 000003
【図２】
2004036087.tif 000004
【図３】
2004036087.tif 000005
【図４】
2004036087.tif 000006
【図５】
2004036087.tif 000007
【図６】
2004036087.tif 000008
【図７】
2004036087.tif 000009